(57)【要約】      （修正有）【課題】カップの縁に対する支持を充分なものとし、抽出バッグ本体の浮き上がりを防ぎ、安定した抽出状態を保つことができる抽出バッグ保持具を提供する。【解決手段】一枚のシート状物を中央山折線１で折り曲げることで分割した前面体２と背面体３とで形成され、前面体には頭部２１の下方に胴部２２が形成され、胴部の両側方にアーム部２３が形成され、前面体の各部は同一平面上に位置し、背面体３の胴部の両側部には外側から中心に向かう引掛切込線３２ａが形成され、引掛切込線に連続して背面折曲線３２ｂが形成され、背面折曲線を基準として折り曲げることでアーチ状の背面引掛部３３が形成されている。カップの縁に、前面対のアーム部２３による２点支持と、背面体の背面引掛部３３による２点支持による合計４点で抽出バッグ保持具が安定に支持される。【選択図】図５
0003192449.tif 000002
【実用新案登録請求の範囲】
【請求項１】
前面体と背面体とで形成され、
前面体には、頭部の下方に胴部が形成され、
該胴部の両側方に、アーチ状のアーム部が形成され、
前面体の各部は、同一平面上に位置し、
背面体の頭部には、巻取切込線が形成され、
背面体の胴部の両側部には、外側から中心に向かう引掛切込線が形成され、
該引掛切込線に連続して、背面折曲線が形成され、
該背面折曲線を基準として折り曲げることで、アーチ状の背面引掛部が形成されていることを特徴とする、抽出バッグ保持具。
【請求項２】
前面体と背面体とが、背面引掛部を除いて全面で接着されていることを特徴とする、請求項１に記載の抽出バッグ保持具。
【請求項３】
前面体と背面体とが、全面で接着されていないことを特徴とする、請求項１に記載の抽出バッグ保持具。
【考案の詳細な説明】
【技術分野】
【０００１】
本考案は、抽出バッグ保持具に関する。
【背景技術】
【０００２】
紅茶、緑茶、コーヒー等を手軽に飲むために、被抽出物を袋状のフィルター内に充填した抽出バッグが用いられている。
【０００３】
特許文献１には、フィルター材シートの合わせシールにより製袋化され、内部に被抽出物が充填されたバッグ本体と、前記バッグ本体に固着されたシート状の把持部を備えた抽出用バッグにおいて、前記把持部は、前記バッグ本体上に上下方向からはみ出さない位置で重ね合わされ、その下端部が固着されて連設されており、抽出時に、前記把持部が前記バッグ本体に対して起こされることを特徴とする抽出用バッグが記載されている。
【０００４】
該抽出用バッグの一例は、特許文献１の図４，５に示すように、バッグ本体３と、一枚の板紙状部材によるホルダー１３とで構成されている。
ここで、ホルダー１３は、頭部１５の下に胸部１７が位置し、左右両側には腕部１９、１９がそれぞれ左右外方に延びるように位置している。
そして、頭部１５から胸部１７に至る部分が把持部として機能し、腕部１９がホルダー片として機能している。
使用の際には、カップＣの縁にホルダー片である左右の腕部１９を掛けることで、バッグ本体３をカップ内の湯や水内に沈みこませる。
【０００５】
該特許文献１に記載の抽出バッグは、コンパクトでありながら、バッグ本体をカップ内の湯や水の中に沈み込ませたり、十分に撹拌させたりできるものである。
【考案の概要】
【考案が解決しようとする課題】
【０００６】
しかしながら、特許文献１の図４，５に示すタイプの腕部１９によるホルダー１３は、カップＣの縁に対して２点支持のため、お湯の中に入れた際に生じるバッグ本体３の浮き上がり等により傾斜し、抽出状態が安定しない場合があった。
【課題を解決するための手段】
【０００７】
本考案の課題を解決するための手段は、下記のとおりである。
【０００８】
第１に、
前面体と背面体とで形成され、
前面体には、頭部の下方に胴部が形成され、
該胴部の両側方に、アーチ状のアーム部が形成され、
前面体の各部は、同一平面上に位置し、
背面体の頭部には、巻取切込線が形成され、
背面体の胴部の両側部には、外側から中心に向かう引掛切込線が形成され、
該引掛切込線に連続して、背面折曲線が形成され、
該背面折曲線を基準として折り曲げることで、アーチ状の背面引掛部が形成されていることを特徴とする、抽出バッグ保持具。
第２に、
前面体と背面体とが、背面引掛部を除いて全面で接着されていることを特徴とする、前記第１に記載の抽出バッグ保持具。
第３に、
前面体と背面体とが、全面で接着されていないことを特徴とする、前記第１に記載の抽出バッグ保持具。
【考案の効果】
【０００９】
本考案によれば以下の効果を奏することができる
【００１０】
カップの縁に対して４点支持のため、抽出バッグ本体の浮き上がり等によっても、全体が傾斜することがなく、安定した抽出状態を保つことができる。
【図面の簡単な説明】
【００１１】
【図１】本考案の抽出バッグ保持具の一使用例を示す斜視図である。
【図２】図１の背面側を示す斜視図である。
【図３】本考案の抽出バッグ保持具の別の使用例を示す斜視図である。
【図４】本考案の抽出バッグ保持具の六面図である。
【図５】本考案の抽出バッグ保持具の展開図である。
【考案を実施するための形態】
【００１２】
以下、本考案を実施するための形態を、図面を参照しつつ具体的に説明する。
ここで、添付図面において同一の部材には同一符号を付しており、また重複した説明は省略されている。
なお、ここでの説明は本考案が実施される一形態であることから、本考案は該当形態に限定されるものではない。
【００１３】
本例の抽出バッグ保持具は、図５に示すように、一枚のシート状物を中央山折線１で折り曲げることで、前面体２と背面体３とで分割して形成されるものである。
【００１４】
中央山折線１の線上において、一側端から中央へと切り込むことで、中央切込線１ａが形成されている。
該中央切込線１ａの先端側は、円弧状に切り込まれている。
【００１５】
前面体２には、頭部２１の下方に胴部２２が形成され、該胴部２２の両側方にアーチ状のアーム部２３が形成されている。
該アーム部２３の先端には、円弧状の拳部２３ａが形成されている。
前面体２の各部は、同一平面上に位置している。
【００１６】
背面体３の頭部３１の中央部には、真円に対して５分の３程度の円弧状の巻取切込線３１ａが形成されている。
また、背面体３の胴部３２の両側部には、外側から中心に向かう引掛切込線３２ａが形成されている。
さらに、該引掛切込線３２ａに連続して直角状に、背面折曲線３２ｂが形成されている。
該背面折曲線３２ｂを基準として折り曲げることで、図４に示すように、アーチ状の背面引掛部３３が平面から立ち上がるように形成されている。
【００１７】
次に使用状態について、図１〜３を参照しながら説明する。
【００１８】
本考案の抽出バッグ保持具は、背面引掛部３３を引き起こした状態で、抽出バッグ本体４に接続された吊紐５を、巻取切込線３１ａによって形成された巻取片に適宜回数を巻き付けることで長さ調整をする。
【００１９】
そして、図１に示すように、先端片６を中央切込線１ａの先端部から前面側２に垂らすことで使用するが、図３に示すように、背面側３に垂らして使用することもできる。
また、図示は省略するが、先端片６を除いた吊紐５を、前面側２と背面側３とで挟み込んで使用することもできる。
【００２０】
この際、前面側２と背面側３とを背面引掛部３３を除いた全面で接着することで、強度的に優れた抽出バッグ保持具を形成することができるが、一部を接着したものを使用することも可能であり、全面で接着しないで使用することもできる。
全面で接着しないタイプは、使用の際に、別途販売されている抽出バッグを用いることが可能であり、カップの深さなどに対応して巻き取り回数を調整することで、必要な長さに吊紐を調整することが可能となる。
【００２１】
本考案の抽出バッグ保持具を用いる際には、カップ７の縁に、前面体２における両側方のアーム部２３による同一平面上に位置する２点支持に加え、前記２点支持の平面から立ち上がった二つの背面引掛部３３による背面体３における２点支持による合計４点で抽出バッグ保持具が支持される。
該４点支持により、抽出バッグ本体４の浮き上がり等によっても、全体が傾斜することがなく、安定した抽出状態を保つことができる。
特に、一部接着タイプ若しくは全面で接着しないタイプは、４点支持の位置が、全面接着タイプと比較して離れたものとなるため、より安定して抽出状態を保つことが可能となる。
【符号の説明】
【００２２】
１  中央山折線
１ａ  中央切込線
２  前面体
２１  頭部
２２  胴部
２３  アーム部
２３ａ  拳部
３  背面体
３１  頭部
３１ａ  巻取切込線
３２  胴部
３２ａ  引掛切込線
３２ｂ  背面折曲線
３３  背面引掛部
４  抽出バッグ本体
５  吊紐
６  先端片
７  カップ
【先行技術文献】
【特許文献】
【００２３】
【特許文献１】特開２０１２−１８７２７８号公報
【図１】
0003192449.tif 000003
【図２】
0003192449.tif 000004
【図３】
0003192449.tif 000005
【図４】
0003192449.tif 000006
【図５】
0003192449.tif 000007